(57)【特許請求の範囲】
【請求項１】
カラー画像データの入力画像階調値に対する出力画像階調値の特性を表すトーンカーブを表示装置上に表示し、入力装置による画面操作で前記トーンカーブを調整可能なトーンカーブの調整装置において、
前記トーンカーブの一部の階調でありデフォルト値として設定されるハイライト部の階調を拡大表示するとともに、トーンカーブの全階調の表示を同時に表示する表示制御手段を有する
ことを特徴とするトーンカーブの調整装置。
【請求項２】
スキャナにより取り込んだ入力画像から印刷機により印刷物を作成する前に、前記印刷物のカラー印刷プルーフとしての出力画像を印刷プルーファより出力しようとする際、前記入力画像の階調値に対する前記出力画像の階調値の特性を表すトーンカーブを表示装置上に表示し、入力装置による画面操作で前記トーンカーブを調整可能なトーンカーブの調整装置において、
前記トーンカーブの一部の一部の階調でありデフォルト値として設定されるハイライト部の階調を拡大表示するとともに、トーンカーブの全階調の表示を同時に表示する表示制御手段を有する
ことを特徴とするトーンカーブの調整装置。
【請求項３】
請求項１又は２記載のトーンカーブの調整装置において、
前記トーンカーブ上で複数のサンプリングポイントが選択可能とされ、かつ任意の１つのサンプリングポイントを編集ポイントとして階調値が変更されたとき、前記編集ポイントと隣り合うサンプリングポイント間を滑らかに補間した変更後の一部拡大表示トーンカーブと、全階調のトーンカーブとを同時に表示する
ことを特徴とするトーンカーブの調整装置。
【請求項４】
請求項１〜３のいずれか１項に記載されたトーンカーブの調整装置において、
前記出力画像階調値をドットゲインとする
ことを特徴とするトーンカーブの調整装置。
【発明の詳細な説明】
【０００１】
【発明の属する技術分野】
この発明は、入力画像階調値に対する出力画像階調値の特性を表すトーンカーブを表示する表示装置、およびこの表示装置上で、入力装置による画面操作で前記トーンカーブを調整することの可能なトーンカーブの調整装置に関する。
【０００２】
【従来の技術】
近時、印刷製版分野では、輪転機等を利用するカラー印刷機により印刷本紙（最終製品となる正式な用紙）を用いて最終製品としてのカラー印刷物を作成する前段階で、カラープリンタ等の印刷用プルーファにより、校正のためのカラー画像が校正紙上に形成されたカラー印刷プルーフ（校正見本）を作成するようにしている。
【０００３】
印刷用プルーファを使用するのは、印刷機で必要とされている製版フイルムや刷版等の作成が不要で、低コストでかつ短時間に必要な回数だけ校正紙上にカラー画像が形成されたハードコピー、すなわち校正見本を作成することができるからである。
【０００４】
そして、この場合、印刷用プルーファに入力される画像データに対して、カラー印刷物上の画像の色・濃度とカラー印刷プルーフ上の画像の色・濃度とを合致させるためにトーンカーブの調整が行われている。
【０００５】
図８は、トーンカーブ調整装置を構成する表示装置上の、従来技術に係るトーンカーブ調整用の画面表示例を示している。
【０００６】
図８に示すように、このトーンカーブ調整画面では、画面２上に、縦軸と横軸の目盛がそれぞれ１０％間隔で格子状に表示され、さらに、縦軸のフルスケール±２０％のドットゲインの目盛の大きさが文字表示され（図８では、−２０，０，＋２０）、かつ横軸のフルスケール０〜１００％の入力画像データの階調（入力階調）に対する目盛の大きさが文字表示されている（図８では、１０，３０，５０，７０，９０）。
【０００７】
そして、この従来技術に係るトーンカーブ調整装置を構成する表示装置の画面２上で表示されているトーンカーブのグラフ（単に、トーンカーブともいう。）４の所望の位置を、入力装置であるマウスでドラッグすることでトーンカーブ４の形状を調整することができるように構成されている。
【０００８】
【発明が解決しようとする課題】
ところで、通常、ドットゲインの補正範囲は±１０％程度の範囲であり、図８例の従来技術に係る表示では、縦軸のドットゲインのフルスケールが±２０％とされているので、横軸の入力階調のフルスケールである全範囲（０％〜１００％）で所望のドットゲインの調整を行うことが可能であり、かつ目視により確認することができる。
【０００９】
しかしながら、たとえば、肌色画像中、人の視感度の高いハイライト側、あるいは夜間の風景画像におけるシャドウ側、さらには、早春の若葉の風景画像における中間階調部など、トーンカーブの一部を確認しようとした場合に、上記図８例の従来技術では、入力画像階調値の範囲（フルスケール値）が大きいので、ハイライト側、シャドウ側、あるいは中間階調部等の入力画像階調値の一部の範囲を確認しようとした場合に見ずらく、また、入力画像階調値の一部の範囲での調整・補正等が困難であるという問題がある。
【００１０】
この発明はこのような課題を考慮してなされたものであり、トーンカーブの一部の範囲でも、より見やすく表示することを可能とするトーンカーブの表示装置を提供することを目的とする。
【００１１】
また、この発明は、入力画像階調値の一部の範囲でも、より細かい調整・補正を行うことを可能とするトーンカーブの調整装置を提供することを目的とする。
【００１２】
【課題を解決するための手段】
この発明に係るトーンカーブの調整装置は、カラー画像データの入力画像階調値に対する出力画像階調値の特性を表すトーンカーブを表示装置上に表示し、入力装置による画面操作で前記トーンカーブを調整可能なトーンカーブの調整装置において、前記トーンカーブの一部の階調でありデフォルト値として設定されるハイライト部の階調を拡大表示するとともに、トーンカーブの全階調の表示を同時に表示する表示制御手段を有することを特徴とする（請求項１記載の発明）。
この発明では、表示制御手段により、トーンカーブの一部の階調であるハイライト部の階調を拡大表示するように構成したので、トーンカーブのハイライト部の階調において、より細かいトーンカーブの調整・補正を行うことができる。
また、この発明に係るトーンカーブの調整装置は、スキャナにより取り込んだ入力画像から印刷機により印刷物を作成する前に、前記印刷物のカラー印刷プルーフとしての出力画像を印刷プルーファより出力しようとする際、前記入力画像の階調値に対する前記出力画像の階調値の特性を表すトーンカーブを表示装置上に表示し、入力装置による画面操作で前記トーンカーブを調整可能なトーンカーブの調整装置において、前記トーンカーブの一部の階調でありデフォルト値として設定されるハイライト部の階調を拡大表示するとともに、トーンカーブの全階調の表示を同時に表示する表示制御手段を有することを特徴とする（請求項２記載の発明）。
この場合、前記トーンカーブ上で複数のサンプリングポイントが選択可能とされ、かつ任意の１つのサンプリングポイントを編集ポイントとして階調値が変更されたとき、前記編集ポイントと隣り合うサンプリングポイント間を滑らかに補間した変更後の一部拡大表示トーンカーブと、全階調のトーンカーブとを同時に表示することを特徴とする（請求項３記載の発明）。
なお、出力画像階調値をドットゲインとすることも可能である（請求項４記載の発明）。
【００１３】
この場合、前記表示制御手段が、トーンカーブの一部の階調の拡大表示と、トーンカーブの全階調の表示とを同時に表示するようにしたので、使用者は、トーンカーブの全階調の表示と一部の階調の拡大表示とを画面上で同時に見ることができる（請求項２記載の発明）。
【００１４】
トーンカーブの一部をハイライト部とすることにより、人の視感度の高いハイライト側のみを拡大表示で見ることができる（請求項３記載の発明）。
【００１５】
領域指定手段によりトーンカーブの一部の階調を領域指定するようにしたので、所望の階調部分を拡大して見ることができる（請求項４記載の発明）。
【００１６】
出力画像階調値をドットゲインとして見ることも可能である（請求項５記載の発明）。
【００１７】
また、この発明のトーンカーブの調整装置では、表示制御手段により、トーンカーブの一部の階調を拡大表示するように構成したので、トーンカーブの一部の階調において、より細かいトーンカーブの調整・補正を行うことができる（請求項６記載の発明）。
【００１８】
この場合においても、トーンカーブの全階調範囲の表示と一部の階調の拡大表示とを同時に表示するように構成することで、例えば、トーンカーブの全体を見ながら拡大表示の一部の階調部分のみを調整することができる（請求項７記載の発明）。
【００１９】
また、この発明では、入力装置による画面操作で、前記一部の階調の拡大表示のトーンカーブまたは前記全階調のトーンカーブを調整したとき、この調整結果が、前記一部の階調の拡大表示のトーンカーブおよび前記全階調のトーンカーブの両方に反映されて表示されるようにしているので、トーンカーブの調整がし易くなる（請求項８記載の発明）。
【００２０】
さらに、拡大表示する一部の階調を、ハイライト部とすることも可能であり（請求項９記載の発明）、拡大表示する一部の階調を領域指定手段により領域指定することも可能である（請求項１０記載の発明）。
【００２１】
なお、出力画像階調値を、ドットゲインとすることも可能である（請求項１１記載の発明）。
【００２２】
【発明の実施の形態】
以下、この発明の一実施の形態について図面を参照して説明する。
【００２３】
図１は、この発明の一実施の形態が適用された印刷プルーフシステム１０の構成を示している。
【００２４】
この印刷プルーフシステム１０は、基本的には、いわゆる集版装置として機能するワークステーション（Ｗ／Ｓ）１２と、トーンカーブの調整装置として機能するホストコンピュータ１４と、印刷プルーファとして機能するプリンタ１６とから構成される。
【００２５】
Ｗ／Ｓ１２は、図示していないスキャナ等により取り込んだ文字、線画や画像等を該Ｗ／Ｓ１２の図示していない表示装置上の画面表示を利用して編集し、位置情報、色・濃度情報等を含む１ページ分の画像情報を記述する記述言語データであるＰＤＬ（Page Description Language ）データを生成する。
【００２６】
生成されたＰＤＬデータがホストコンピュータ１４を構成するラスタイメージプロセッサ（ＲＩＰ）１８に供給される。ＲＩＰ１８は、ＰＤＬデータを各走査画像データであるＣＭＹＫ各画像データに展開する。
【００２７】
ホストコンピュータ１４は、上記ＲＩＰ１８を含み、色変換用のＬＵＴ（ルックアップテーブル）が設定される色変換部２０、および表示制御手段として機能する色補正部２２を含む本体部と、この本体部を構成する色補正部２２に接続されるキーボードおよびマウス２４Ｍ等を含む入力装置２４と、カラーＣＲＴディスプレイ等で構成されるトーンカーブ表示装置としても機能する表示装置２６とから構成される。
【００２８】
図２は、色変換部２０のより詳しい構成を示している。色変換部２０では、ＲＩＰ１８から供給されるＣＭＹＫ画像データを、印刷条件プロファイル２８とプリンタ条件プロファイル３０とによりプリンタ１６用のＲＧＢ画像データに変換する。
【００２９】
ここで、印刷条件プロファイル２８は、プリンタ１６によりプルーフ（校正見本）として出力するハードコピーＨＣで模擬（シミュレーション）しようとする図示しない印刷機の印刷物上のデバイス（印刷機、インキ等）依存の色と、測色値等のデバイス非依存の色との間の色を変換するための色変換テーブル（４次元→３次元の変換用ルックアップテーブル）３２を含む色変換手段である。
【００３０】
また、プリンタ条件プロファイル３０は、測色値等のデバイス非依存の色とプリンタ１６から出力されるハードコピーＨＣ上のデバイス依存の色との間の色変換をするための色変換テーブルを含む色変換手段である。
【００３１】
印刷条件プロファイル２８では、ＣＭＹＫ画像データ（Ｃ，Ｍ，Ｙ，Ｋ）が、それぞれ、トーンカーブ｛入力階調０−１００％の各値が出力階調（網％）０−１００％の各所定値に変換されるカーブ｝が設定される１次元のＬＵＴ（トーンカーブ調整用のＬＵＴ）４１、４２、４３、４４により階調変換後のＣＭＹＫ画像データ（Ｃ′，Ｍ′，Ｙ′，Ｋ′）とされる。このＣＭＹＫ画像データ（Ｃ′，Ｍ′，Ｙ′，Ｋ′）が色変換テーブル３２により測色値データ（Ｘ，Ｙ，Ｚ）とされ、測色値データ（Ｘ，Ｙ，Ｚ）が地色補正用のそれぞれ１次元のＬＵＴ５１、５２、５３により測色値データ（Ｘ′，Ｙ′，Ｚ′）に変換される。
【００３２】
なお、地色補正用のＬＵＴ５１、５２、５３は、図示していない印刷機でこれから使用しようとする本紙と、色変換テーブル３２を作成するときに使用した色パッチ等を印刷したときに使用した本紙との地色の差を修正するためのテーブルである。なお、地色の差とは、例えば、同じアート紙等を使用してもロットが異なる場合等にその各アート紙を測色計等で測色したときの測色値の差をいう。
【００３３】
実際上、印刷条件プロファイル２８とプリンタ条件プロファイル３０とは、色補正部２２を構成するプロファイル管理部５６でマージ（合成）され、１つのルックアップテーブルとして色変換部２０に設定されている。
【００３４】
色補正部２２におけるプロファイル管理部５６には、印刷条件プロファイル２８やプリンタ条件プロファイル３０を格納する大容量記憶装置であるプロファイル格納部５８が接続されるとともに、上記ＬＵＴ４１、４２、４３、４４の内容を調整（修正）するトーンカーブ調整部６０と、上記ＬＵＴ５１、５２、５３の内容を調整（修正）する地色調整部６２が接続される。
【００３５】
また、色補正部２２には、トーンカーブ調整部６０による調整（修正、補正）を行う際に使用されるトーンカーブ補間部６４およびトーンカーブの任意の一部の階調を領域指定する領域指定手段としてのトーンカーブ領域指定部６５が含まれている。
【００３６】
色補正部２２は、さらにグラフィカルユーザーインタフェース（ＧＵＩ）６６を有し、このＧＵＩ６６に、地色調整部６２、トーンカーブ調整部６０、トーンカーブ補間部６４、トーンカーブ領域指定部６５、表示装置２６およびマウス２４Ｍ等を有する入力装置２４が接続されている。
【００３７】
このＧＵＩ６６を通じて、表示装置２６上の画面上の画像を入力装置２４により操作することで、トーンカーブの調整、地色調整等の各種調整あるいはトーンカーブの領域指定等を快適で分かりやすい操作環境で行うことができる。
【００３８】
色変換部２０により、ＣＭＹＫ画像データから変換されたＲＧＢ画像データは走査用画像データとしてプリンタ１６に供給される。
【００３９】
プリンタ１６としては、ＲＧＢ画像データに対応して強度変調されて発光される３本の半導体レーザによって図示しないドナーを露光して潜像を形成する。露光されたドナーを少量の水で湿らせ、受像紙を張り合わせて加熱することによって現像が行われる。現像により生成された色素がドナーから受像紙へ移り、画像の転写が完了する。使用済みのドナーと画像が転写された受像紙が剥離され、高画質なカラープリントであるハードコピーＨＣが完成する。このように、プリンタ１６としては、レーザ露光熱現像転写方式によるものを使用している。
【００４０】
次に、印刷条件プロファイル２８の調整手法について、トーンカーブ調整用の１次元のＬＵＴ４１、４２、４３、４４を例として、図３に示すフローチャートを参照しながら説明する。
【００４１】
まず、入力装置２４により印刷条件調整画面を選択することで、図４に示す印刷条件選択画面２００が表示装置２６に表示される（ステップＳ１）。
【００４２】
次に、この印刷条件選択画面２００中、左欄からフォルダ「出力に使用」を選択する（ステップＳ２）。
【００４３】
これにより、フォルダ「出力に使用」に格納されているファイルリストが表示される。図４例では、ファイル名称欄に名称として「アート紙印刷」、「アート紙Ａ社対応」、「アート紙Ｂ社対応」、「マット紙印刷」が既に設定され、これらファイル名称にそれぞれ対応するコメントとしてコメント欄に「Ｆ社標準印刷条件」、「Ａ社向けアート紙印刷条件」、「Ｂ社向けアート紙印刷条件」、「Ｆ社標準印刷条件」が設定されている。この場合、属性欄に属性「ＯＲＧ」とあるファイルは、ホストコンピュータ１４に最初からシステムとして登録されているファイルを意味しており、属性「ＵＳＲ」とあるファイルは、ユーザがホストコンピュータ１４上で作成したファイルを示している。なお、システムが属性「ＯＲＧ」と認識しているファイルに対して登録指示を行った場合、警告ダイアログが表示され、同じ名称での変更登録が不可能であることを知らせるようになっている。
【００４４】
日付け欄には、作成日（更新作成日）が、西暦表示で、例えば、「・・／・・／・・」＝「９８／０６／３０」等として表示される。バージョン欄には、バージョン番号（バージョン符号）が表示される。
【００４５】
図４に示した印刷条件選択画面２００では、ファイル名称「アート紙Ｂ社対応」が選択されている。この選択はファイルリスト上でマウス２４Ｍにより再選択することで、変更が可能であり、さらに、名称、コメント、バージョンをそれぞれ入力セル上で新規に設定することが可能である（ステップＳ３）。
【００４６】
この状態で入力装置２４を構成するマウス２４Ｍを利用して「ＯＫ」ボタンを押し｛図示していないマウスポインタを「ＯＫ」ボタンに合わせて、マウスの左スイッチをクリックした場合（ステップＳ４：ＯＫ）｝、次いで、トーンカーブ調整ボタン（不図示）を押すことで、図５に示すカラー表示のトーンカーブ全部表示画面２０２が表示装置２６上に表示される（ステップＳ５）。トーンカーブ全部表示とは、Ｃ、Ｍ、Ｙ、Ｋ全てのトーンカーブが同時に表示されていることをいう。
【００４７】
図５に示すトーンカーブ全部表示画面２０２において、Ｃ、Ｍ、Ｙ、Ｋ、または全表示のいずれか１つを選択することの可能な補正色選択チェックボックスを「Ｃ」に選択した場合におけるＣ色のトーンカーブ調整画面（編集画面ともいう。）２０４を図６に示している。
【００４８】
このトーンカーブ全部表示画面２０２およびトーンカーブ調整画面２０４では、それぞれ、ステップＳ２、ステップＳ３で選択設定したフォルダ名として「印刷条件￥出力に使用」が表示され、名称名として「アート紙Ｂ社対応」が表示されている。
【００４９】
以下、トーンカーブ全部表示画面２０２とトーンカーブ調整画面２０４の内容について詳細に説明するとともに、入力装置２４による画面操作で調整することの可能なトーンカーブの調整手順について詳細に説明する（ステップＳ６）。
【００５０】
トーンカーブの調整手順は、色補正部２２中、主にトーンカーブ調整部６０により実施される。
【００５１】
図５に示したトーンカーブ全部表示画面２０２では、ＲＩＰ１８から印刷条件プロファイル２８（図２参照）に入力されるＣＭＹＫ画像データ（Ｃ，Ｍ，Ｙ，Ｋ）の全入力画像階調値（フルスケール：０−１００％）に対する出力画像階調値としてのドットゲイン（フルスケール：±２０％）のトーンカーブのグラフＣＭＹＫがトーンカーブ全体表示ＡＴａとして表示画面２０２の中央下側に表示される。
【００５２】
また、このトーンカーブ全体表示ＡＴａとともに、トーンカーブのグラフＣＭＹＫの一部であるハイライト側の階調範囲（入力階調０−１０％：ハイライト部）が、ドットゲイン（フルスケール：±５％）で拡大表示されたトーンカーブのグラフＣＭＹＫとして、トーンカーブ拡大表示ＥＴａとして同時に右上側に表示される。この拡大表示ＥＴａでは、１％当たりの縦軸および横軸の長さが、全体表示（非拡大表示）ＡＴａのそれぞれ約４倍の長さに拡大されている。このため、ハイライト側のトーンカーブが見やすくなっている。また、このようにハイライト側を拡大して観測することにより例えば肌色画像や青い空を含む風景画像等の階調の調整が容易化される。
【００５３】
一方、シアン色を選択した図６に示したトーンカーブ調整画面２０４では、ＲＩＰ１８から印刷条件プロファイル２８を構成する１次元のＬＵＴ４１に入力されるＣ画像データ（Ｃ）の全入力画像階調値（フルスケール：０−１００％）に対するドットゲイン（フルスケール：±２０％）のトーンカーブのグラフＣｔ（トーンカーブＣｔともいう。）がトーンカーブ全体表示（非拡大表示）ＡＴｂとして中央下側に表示されるとともに、トーンカーブのグラフＣｔのハイライト側の階調範囲（入力階調０−１０％）をドットゲイン（フルスケール：±５％）で拡大表示したトーンカーブのグラフＣｅ（トーンカーブＣｅ）が、トーンカーブ拡大表示ＥＴｂとして右上側に同時に表示される。
【００５４】
このトーンカーブ調整画面２０４においても、拡大表示ＥＴｂでは、１％当たりの縦軸および横軸の長さが、全体表示（非拡大表示）ＡＴｂのそれぞれ約４倍の長さに拡大されている。
【００５５】
そして、トーンカーブ調整画面２０４の拡大表示ＥＴｂまたは全体表示ＡＴｂのいずれかのトーンカーブＣｅ、Ｃｔ上にマウスポインタＭＰを合わせ、マウス２４Ｍの左スイッチでドラッグすることで、トーンカーブＣｅ、Ｃｔ上のサンプリングポイントＳＰを上下（ドットゲインの増減方向）あるいは左右（トーンカーブ上に沿っての左右方向）に移動することができる。サンプリングポイントＳＰは、この実施の形態では、入力階調「０」、「３．９」、「８．６」、「２４．２」、「４３．１」、「６１．９」、「８３．１」、および「１００」の８点の値が選択されている。なお、実際上、Ｃ画像データ（Ｃ）の入力階調は８ビット＝２５６階調であり、１階調が１００／２５５＝０．３９２１に対応するので、サンプリングポイントＳＰの階調上（横軸上）での選択は、０．３９２１の倍数で行われるようになっている。縦軸は、０．５％刻みである。
【００５６】
図６において、現在、マウスポインタＭＰにより選択されているサンプリングポイントＳＰが編集ポイントとしてグラフ枠の上部の編集ポイント欄２０６に表示される。この編集ポイント欄２０６には、入力階調の値（図６では、２４．２）およびその入力階調におけるドットゲイン（図６では＋６．４であるが、このドットゲインは以下に説明するように全体のドットゲイン）が表示される。
【００５７】
なお、この実施の形態において、トーンカーブのグラフＣｔ、Ｃｅの縦軸上では、１次元のＬＵＴ４１のドットゲインの値に等しく表示されているが、編集ポイント欄２０６のドットゲイン値「＋６．４」や、全体表示ＡＴｂのグラフＣにおける横軸の入力階調「１０」、「３０」等の下側に表示されているドットゲイン「＋３．５」や「＋６．８」は、図２に示した印刷条件プロファイル２８とプリンタ条件プロファイル３０とをプロファイル管理部５６でマージ（合成）した値（全体ドットゲイン）として表示している。現在のトーンカーブの調整によるハードコピーＨＣ（図１参照）上でのドットゲイン（全体ドットゲイン）を知ることを望むユーザの要望に応えるためである。
【００５８】
この図６例において、サンプリングポイントＳＰ間のドットゲインはトーンカーブ補間部６４により、サンプリングポイントＳＰを移動するたびに自動的に計算され、これに対応して、全体ドットゲインがプロファイル管理部５６で修正後の印刷条件プロファイル２８とプリンタ条件プロファイル３０とをマージ（合成）することで自動的に計算される。
【００５９】
例えば、図６例の表示において、サンプリングポイントＳＰ＝ＳＰ［入力階調，ドットゲイン］＝ＳＰ［２４．２，＋６．４］において、マウスポインタＭＰによりサンプリングポイントＳＰをＳＰ＝［２４．２，＋１０］と上側に移動したとき、このサンプリングポイントＳＰ＝［２４．２，＋１０］と隣り合うサンプリングポイントＳＰ（図６例では、サンプリングポイントＳＰ＝［８．６，＋３．０］とＳＰ［４３．１，＋６．５］）間が滑らかに補間された調整後のトーンカーブのグラフＣｔ、Ｃｅが瞬時（リアルタイム）に変更表示される。
【００６０】
このように、図５例および図６例を利用したトーンカーブ全部表示画面２０２およびトーンカーブ調整画面２０４によれば、入力画像データ（Ｃ）の全階調範囲（０−１００％）に対するドットゲインをトーンカーブのグラフＣｔで表して表示装置２６上に全体表示ＡＴｂとして表示するとともに、拡大表示ＥＴｂのトーンカーブのグラフＣｅを同時に表示するようにしているので、全体表示ＡＴｂ上に表示されたトーンカーブＣｔにより全体を見ながらハイライト側のみのトーンカーブＣｅに係る調整を拡大表示ＥＴｂで行うことが可能となり、人の視感度の高いハイライト側でもより細かい調整・補正を行うことができるという効果が達成される。
【００６１】
この場合、入力装置２４としてのマウス２４Ｍによる画面操作で、一部の階調としてのハイライト部の拡大表示ＥＴａ、ＥＴｂのトーンカーブＣＭＹＫ、Ｃｅまたは全体表示ＡＴａ、ＡＴｂの全階調のトーンカーブＣＭＹＫ、Ｃｔを調整したとき、この調整結果が、前記一部の階調としてのハイライト部の拡大表示ＥＴａ、ＥＴｂのトーンカーブＣＭＹＫ、Ｃｅまたは全体表示ＡＴａ、ＡＴｂの全階調のトーンカーブＣＭＹＫ、Ｃｔの両方に自動的にリアルタイムに反映されて表示されるので、トーンカーブの調整結果を、細かい部分と全体部分とで一目で理解することが可能となり、トーンカーブの調整がし易くなる。
【００６２】
なお、全体表示ＡＴａ、ＡＴｂおよび拡大表示ＥＴａ、ＥＴｂにおいて、縦軸のドットゲインの表示を、出力画像データの階調を表す網％の表示に変更することも可能であり、網％の表示とした場合、入力階調に対して出力階調が累積的に増加するグラフとなる。換言すれば、入力画像階調値（０−１００）に対して出力画像階調値（０−１００）が線形に変化する特性のグラフに対してドットゲインを加えたグラフが網％表示のグラフ、換言すれば、入力画像階調値（０−１００）に対して出力画像階調値（０−１００）の特性を表すトーンカーブとなる。
【００６３】
図５のトーンカーブ全部表示画面２０２および図６のトーンカーブ調整画面２０４において、リセットボタン２１０をクリックした場合には、確認ダイアログによる確認の後に、現在編集中の色のトーンカーブが全てドットゲイン＝０に沿う直線となり、調整画面２０４上に表示されるサンプリングポイントＳＰは、ハイライト点（階調＝０％）と、シャドウ点（階調＝１００％）の２点のみとなる。
【００６４】
また、サンプリングポイントＳＰにマウスポインタＭＰを置き、マウス２４Ｍの右スイッチをクリック（右クリック）すると、該サンプリングポイントＳＰが削除され、一方、サンプリングポイントＳＰのないトーンカーブＣｔ、Ｃｅ上の任意の位置でマウス２４Ｍを右クリックすれば、その任意の位置でサンプリングポイントＳＰが追加されるようになっている。
【００６５】
さらに、１０％、３０％、５０％、７０％、９０％での調整値である全体ドットゲインの表示セル中は、トーンカーブ調整画面２０４上での編集モード時のみ、編集中（調整中）の色について表示されるようにされ、トーンカーブ全部表示画面２０２上の全色表示時にはブランクとされている。
【００６６】
トーンカーブＣｔ、Ｃｅの調整後に登録ボタン２０８をクリックすることによっても（ステップＳ７：登録）、プロファイル管理部５６により、トーンカーブを調整した１次元のＬＵＴ４１を含めて印刷条件プロファイル２８とプリンタ条件プロファイル３０のマージ処理が行われて（ステップＳ８）、合成プロファイルを表すルックアップテーブルが色変換部２０に設定される（ステップＳ９）。
【００６７】
このようにして、ＣＭＹＫ全てのトーンカーブを個別に調整することができ、調整後に登録ボタン２０８をクリックすることで、プロファイル管理部５６により、トーンカーブを調整した１次元のＬＵＴ４１、４２、４３、４４を含めて印刷条件プロファイル２８とプリンタ条件プロファイル３０のマージ処理が行われて、合成プロファイルを表すルックアップテーブルが色変換部２０に設定される。
【００６８】
なお、マージ処理前の印刷条件プロファイル２８とプリンタ条件プロファイル３０とは、それぞれ、プロファイル格納部５８に格納される。
【００６９】
また、上述した実施の形態においては、トーンカーブの一部の階調を拡大表示する領域を、領域指定手段としてのトーンカーブ領域指定部６５によりデフォルト値として設定されるハイライト側としているが、これに限らず、例えば、図６に示す表示例において、マウスポインタＭＰが置かれている（マウスポインタＭＰにより指示されている）サンプリングポイントＳＰ［２４．２，＋６．４］において、マウス２４Ｍをダブルクリックすることにより、図７に示すように、画面２０４の表示が変更されて、そのサンプリングポイントＳＰ［２４．２，＋６．４］を中心とする拡大表示ＥＴｂがなされ、拡大表示ＥＴｂの中心をサンプリングポイントＳＰ［２４．２，＋６．４］とする拡大されたトーンカーブＣｅを表示することができる。
【００７０】
この場合、拡大表示ＥＴｂの入力画像階調値、出力画像階調値（この場合、ドットゲイン）の範囲は、図７に示すように、トーンカーブ領域指定部６５とＧＵＩ６６により自動的に、それぞれ、入力画像階調範囲２４．２±５、ドットゲイン範囲＋６．４±５とされる。このようにハイライト側よりも、より中間階調部側を拡大して観測することにより、例えば早春の明るい若葉の風景画像等の階調の調整が容易化される。
【００７１】
さらに、図示はしないが、シャドウ側を拡大表示することにより夜間の風景画像等におけるシャドウ側の階調の調整が容易化される。
【００７２】
なお、この発明は、上述の実施の形態に限らず、この発明の要旨を逸脱することなく、種々の構成を採り得ることはもちろんである。
【００７３】
【発明の効果】
以上説明したように、この発明によれば、トーンカーブの一部の範囲を画面上で拡大表示するように構成したので、トーンカーブの一部の範囲でもより見やすくなるという効果が達成される。
【００７４】
また、この拡大表示した画面を利用することによりそのトーンカーブの一部の範囲で、より細かいトーンカーブの調整・補正を行うことができるという効果が達成される。
【００７５】
拡大表示するトーンカーブの一部の範囲は、ハイライト側、中間階調部、シャドウ側の任意の所望の領域を選択することができる。
【００７６】
もちろんハイライト側からシャドウ側までの全階調範囲でのトーンカーブの表示画面を利用することにより全階調範囲でのトーンカーブの調整を行うこともできる。
【図面の簡単な説明】
【図１】この発明の一実施の形態が適用された印刷プルーフシステムの構成を示すブロック図である。
【図２】図１例中、色変換部に、マージされて設定される印刷条件プロファイルとプリンタ条件プロファイルを示すブロック図である。
【図３】トーンカーブ調整手順の説明に供される線図である。
【図４】印刷条件登録画面の例を示す線図である。
【図５】ＣＭＹＫ全部表示のトーンカーブ確認画面例を示す線図である。
【図６】Ｃ色に関するトーンカーブ調整画面例を示す線図である。
【図７】Ｃ色に関するトーンカーブ調整画面の他の例を示す線図である。
【図８】従来技術に係るトーンカーブ調整用の画面表示例を示す線図である。
【符号の説明】
１０…印刷プルーフシステム      １４…ホストコンピュータ
２０…色変換部                  ２４…入力装置
２４Ｍ…マウス                  ２８…印刷条件プロファイル
３０…プリンタ条件プロファイル
４１、４２、４３、４４…１次元のＬＵＴ（トーンカーブ調整用のＬＵＴ）
５１、５２、５３…１次元のＬＵＴ（地色調整用のＬＵＴ）
５６…プロファイル管理部        ６０…トーンカーブ調整部
６６…ＧＵＩ                    ２００…印刷条件選択画面
２０２…トーンカーブ全部表示画面
２０４…トーンカーブ調整画面    ＡＴａ、ＡＴｂ…全体表示（非拡大表示）
Ｃｔ、Ｃｅ…トーンカーブ（トーンカーブのグラフ）
ＥＴａ、ＥＴｂ…拡大表示        ＭＰ…マウスポインタ
ＳＰ…サンプリングポイント
【図１】
0004268267.tif 000002
【図２】
0004268267.tif 000003
【図３】
0004268267.tif 000004
【図４】
0004268267.tif 000005
【図５】
0004268267.tif 000006
【図６】
0004268267.tif 000007
【図７】
0004268267.tif 000008
【図８】
0004268267.tif 000009